(57)【特許請求の範囲】
【請求項１】
ドーム状の帽子本体と前記帽子本体の下周縁に沿って間隔をあけて設けられた折り畳み自在な複数の庇状の鍔とから成り、前記複数の鍔に対応して前記帽子本体及び鍔に鍔毎に対応して異なる表示を有し、前記鍔に対応する帽子本体部分に有する表示は、相応する鍔が折り畳まれると前記鍔によって隠蔽されるように配置され、前記複数の鍔上の表示は、展開状態の下面又は上面に設けられており、前記鍔上の下面側の表示は、前記鍔が折り畳まれた状態では全体的に認識することができるが、前記鍔が展開した状態では一部又は全部が隠蔽され、前記鍔上の上面側の表示は、前記鍔が折り畳まれた状態では全体的に隠蔽されるが、前記鍔が展開した状態では認識することができることを特徴とする多面帽子。
【請求項２】
請求項１に記載の多面帽子であって、前記複数の鍔は、その折り畳み状態の外面（展開状態の下面）に相互に関連する観念を有する表示が施されていることを特徴とする多面帽子。
【請求項３】
請求項１又は２に記載の多面帽子であって、前記帽子本体は、鍔毎に対応する部分が伸縮部材で相互に連結して形成されていることを特徴とする多面帽子。
【発明の詳細な説明】
【０００１】
【発明の属する技術分野】
本発明は、多面帽子に関し、更に詳細に述べると、１つの帽子を周方向にずらせて被ることによって外部から異なる表示を認識することができるようにした多面帽子に関するものである。
【０００２】
【従来の技術】
一般に、従来技術の帽子は、ドーム状の帽子本体の下縁の全周にわたって延びる鍔を有する所謂ハットかドーム状の帽子本体の下縁の一部（たとえば略６０乃至７０°）にわたって伸びる鍔を有する所謂キャップから成っている。
【０００３】
このような従来技術の帽子のうちキャップは、１つの正面を有する帽子であり、キャップの鍔を横にしたり後ろにしたりして異例の被り方で使用することはあっても、それによって多数の表示を認識させることはなく、帽子に多面的な変化を付与することができなかった。
【０００４】
最近、帽子に二様の柄を付与することができるように、帽子本体の一半分に相応する可動部を有し、可動部が帽子本体の前半分に被さっているときには帽子本体の後半部の柄に一致した表面柄を有し、可動部が帽子本体の後半部に被さっているときには帽子本体の前半部の柄に一致した裏面柄を有するように構成されている二柄帽子が提案されている（実開平６−４２９２４号公報参照）。
【０００５】
しかし、この帽子は、単に２つの柄を選択して使用することができるだけであり、帽子に多数の観念的な表示を認識させることができるように使用することができない。
【０００６】
また、帽子本体に１つの固定鍔とは別に可動鍔を有し、この可動鍔を固定鍔に重ねたり、固定鍔とは反対側に位置するように回動させてこの可動鍔を後方の日射しを除ける日除けとして利用することができる帽子が提案されている（実開平６−６４２６号公報参照）。
【０００７】
しかし、この帽子は、正面にのみ鍔を有する帽子と全周に鍔を有する帽子との中間的な帽子であり、可動鍔を後位置した状態では、全周に鍔を有する帽子に比較して見栄えが悪く、また後鍔の必要がなければ前後の鍔を重合するだけであり、これも表示の上で多面的に利用することができない。
【０００８】
【発明が解決しようとする課題】
本発明が解決しようとする１つの課題は、１つの帽子で多数の観念的な表示を認識させることができる多面的な使用をすることができる多面帽子を提供することにある。
【０００９】
本発明が解決しようとする他の課題は、１つの帽子で自己の変化する感情などを認識させることによって自己表現の道具として使用をすることができる多面帽子を提供することにある。
【００１０】
【課題を解決するための手段】
本発明の課題解決手段は、ドーム状の帽子本体と帽子本体の下周縁に沿って間隔をあけて設けられた折り畳み自在な複数の庇状の鍔とから成り、これらの複数の鍔に対応して帽子本体及び鍔に鍔毎に対応して異なる表示を有し、鍔に対応する帽子本体部分に有する表示は、相応する鍔が折り畳まれるとこの鍔によって隠蔽されるように配置され、複数の鍔上の表示は、鍔の展開状態の上面又は下面に設けられており、鍔上の下面側の表示は、鍔が折り畳まれた状態では全体的に認識することができるが、鍔が展開した状態では一部又は全部が隠蔽され、また鍔上の上面側の表示は、鍔が折り畳まれた状態では全体的に隠蔽されるが、鍔が展開した状態では認識することができることを特徴とする多面帽子を提供することにある。
【００１１】
複数の鍔は、その折り畳み状態の外面（展開状態の下面）に相互に関連する観念を有する表示が施されているのが好ましい。また、帽子本体は、帽子本体の寸法を調節することができるように、鍔毎に対応する部分が伸縮部材で相互に連結して形成されているのが好ましい。
【００１２】
このように、帽子がドーム状の帽子本体と帽子本体の下周縁に沿って間隔をあけて設けられた折り畳み自在な複数の庇状の鍔とから成っており、これらの複数の鍔に対応して帽子本体及び鍔に鍔毎に異なる表示を有すると、使用者は、複数の鍔の１つが正面なるように帽子を被って１つの帽子で多様に使用することができる。
【００１３】
従って、帽子に変化を付与しつつ帽子を多様に使用することができるが、それ以外に、たとえば、野球などの競技の観客が自己の応援するチームや選手のプレーの状況に応じて異なる感情や心境を帽子本体の正面部分に施すことによってプレーの状況に応じて所定の表示を有する帽子部分を正面にして帽子を被り、その正面位置にある鍔を展開してその所定の表示を認識することができるようにして自己の感情などを帽子を通して表現することができるのに使用することができる。
【００１４】
社会生活を営む上で、自己表現は、自分が社会から理解され、社会に対して自分の存在と感情をアピールする上できわめて重要な精神活動であり、この精神活動を簡単なアクションで示すことができれば、それは、社会生活で大きなコミュニケーションを生むのに役立つが、この多面帽子は、このような自己の感情などの表現の手段として利用するのに好適である。
【００１５】
なお、帽子本体や鍔上の異なる表示を感情ではなく、単なる観念の表示とすることができ、この場合、特定の観念を選択するように帽子本体の正面位置を変えると、１つの帽子で種々の観念を表示しつつ帽子を着用することができる。
【００１６】
【発明の実施の形態】
以下に、本発明の実施の形態を図面を参照して詳細に述べる。本発明の帽子１０は、図１及び図２に示すように、ドーム状の帽子本体１２と、この帽子本体１２の下周縁に沿って間隔をあけて設けられた折り畳み自在な複数の庇状の鍔１４とから成っている。
【００１７】
帽子本体１２は、図３に示すように、略三角形状の複数の布片１６、図示の例では、６つの布片１６を縫合して形成されているが、交互に隣り合う２つの布片１６Ａと１６Ａ’、１６Ｂと１６Ｂ’又は１６Ｃと１６Ｃ’は、図４（Ａ）に符号１８ａで示すように、相互に直接縫合されており、また他の交互に隣り合う布片１６Ａ’と１６Ｂ、１６Ｂ’と１６Ｃ、１６Ｃ’と１６Ａは、図４（Ｂ）に示すように、帽子本体１２の周方向に伸縮自在な弾性伸縮部材２０を介して相互に縫合されている（図５参照）。なお、これらの縫合部分は、裏当て部材２２、２４を縫付けることによって隠蔽されている（図４参照）。図示していないが、帽子本体１２の下縁の内側に沿って折り返し片を有する。
【００１８】
図示の実施の形態では、３つの鍔１４が設けられ、これらの鍔１４は、帽子本体１２の略１２０°の周部分、更に詳細に述べると、帽子本体１２の相互に直接縫合された２つの布片１６Ａ、１６Ａ’あるいは１６Ｂ、１６Ｂ’又は１６Ｃ、１６Ｃ’に跨ってそれぞれ設けられている。図示の例では、各鍔１４は、略半円形の形態を有するが、半円形以外の他の形態であってもよい。図面では、布片１６Ａと１６Ａ’とに対応する鍔は符号１４Ａで示され、布片１６Ｂと１６Ｂ’とに対応する鍔は符号１４Ｂで示され、布片１６Ｃと１６Ｃ’とに対応する鍔は符号１４Ｃで示されている。
【００１９】
これらの鍔１４Ａ、１４Ｂ及び１４Ｃは、図１に示すように、帽子本体１２に対してその外面に沿って重合するように折り畳まれた状態と、帽子本体１２に重合した状態から図２に示すように正面に展開した状態とに鍔１４の取り付け部を中心に自由に折り曲げることができるようになっている。
【００２０】
本発明の帽子１０は、更に、これらの複数の鍔１４Ａ、１４Ｂ、１４Ｃにそれぞれ対応して帽子本体１２及び鍔１４に異なる表示３０、４０を有する。
【００２１】
図示の形態では、鍔１４Ａ、１４Ｂ、１４Ｃにそれぞれ対応する帽子本体１２の位置に有する表示３０Ａ、３０Ｂ、３０Ｃは、いずれも感情などの意思を表示する帽章（表示章）であり、これらの帽章は、相応する鍔１４Ａ、１４Ｂ、１４Ｃが折り畳まれると、それぞれ対応する鍔１４Ａ、１４Ｂ、１４Ｃによってそれぞれ隠蔽されるように配置される。
【００２２】
また、図示の形態では、複数の鍔１４Ａ、１４Ｂ、１４Ｃ上の表示４０Ａ、４０Ｂ、４０Ｃは、特に感情などの意思を表示するものではないが、特定の団体などを表示する帽章（表示章）であり、この帽章は、鍔１４の折り畳み状態の正面（展開状態の下面）に設けられており、鍔１４の展開状態では付け根（取り付け部）側の表示部分が隠蔽されるが、先端側の表示部分が見えるように鍔１４の先端を湾曲した状態で跳ね上げることができる。
【００２３】
なお、図示していないが、複数の鍔１４Ａ、１４Ｂ、１４Ｃ上の表示４０Ａ、４０Ｂ、４０Ｃは、上記の折り畳み状態の正面にはなく、又は折り畳み状態の正面と共に、折り畳み状態の裏面（展開状態の上面）に設けることもでき、この場合には、鍔１４の展開状態で、上面の表示４０Ａ、４０Ｂ、４０Ｃが正面から見えるように、鍔１４を付け根部分から先端に向けて下向きに傾斜するように展開する。
【００２４】
次に、本発明の帽子１０の表示３０，４０の具体例とその使用方法を以下に述べるが、これは、単なる１つの表示例にすぎず、他の種々の表示例とその使用方法とが考えられることは容易に理解することができる。
【００２５】
たとえば、この帽子１０がプロ野球の読売巨人軍（登録商標）と他のチームとの競技を観戦する際に、読売巨人軍（登録商標）のファンが読売巨人軍（登録商標）を応援するのに使用される場合を例に掲げて説明すると、帽子本体１２上の表示３０Ａ、３０B、３０Cである帽章は、図６（Ａ）乃至図６（Ｃ）に示すように、いずれも読売巨人軍（登録商標）のマスコット人形であるジャビット（登録商標）の表示であるが、これらの表示のうち、表示３０Ａは、「笑い表示」であり、表示３０Bは、「怒り表示」であり、表示３０Cは、「泣き表示」であるのが示されている。
【００２６】
一方、鍔１４Ａ、１４Ｂ、１４Ｃ上の表示である帽章は、図７（Ａ）乃至図７（Ｃ）に示すように、いずれも読売巨人軍（登録商標）というチーム（団体）を表示するマークであるが、表示４０Ａは、たとえば、鍔１４Ａの折り畳み状態の上方の英字「ＴＯＫＹＯ」と下方の「Ｇ」、「Ｙ」の重ねマーク、表示４０Ｂは、上方の英字「ＧＩＡＮＴＳ］（登録商標）と下方の「Ｇ」、「Ｙ」の重ねマーク、表示４０Ｃは、上方の英字「ＹＯＭＩＵＲＩ］（登録商標）と下方の「Ｇ」、「Ｙ」の重ねマークとすることができる。
【００２７】
この帽子の使用方法を述べると、読売巨人軍（登録商標）のファンである使用者は、この帽子１０を被って観戦するが、試合の経過の状況に応じて３つの鍔１４Ａ乃至１４Ｃのいずれかを展開して自己の感情を表現することができる。たとえば、試合が読売巨人軍（登録商標）に有利に展開しているときには、鍔１４Ａを広げて帽子本体１２上の「笑い表示」が露呈するようにするが、これは、使用者自体の笑い顔に一致し、自己の表情を顔だけでなく、帽子にも表現させることができる。
【００２８】
同様にして、試合が読売巨人軍（登録商標）に不利に展開しているときには、鍔１４Ｃを広げて帽子本体１２上の「怒り表示」が露呈するようにし、また試合が緊迫状態で展開しているときには、鍔１４Ｂを広げて帽子本体１２上の「泣き表示」が露呈するようにする。これらの表示は、自己の怒り顔や泣き顔に一致し、自己の表情を顔と帽子との両方に表現させることができる。
【００２９】
なお、帽章の「泣き表示」に代えて「通常の表情の表示」のジャビット（登録商標）とすることによって試合に関係ない場所では、この通常の表情の表示を開いて使用することができる。また、上記の「笑い」、「泣き」、「怒り」の表情を表す帽章を有する帽子の３つの鍔をすべて折り畳んで感情を表さない状態で鍔なしのキャップの状態で被ることもできる。
【００３０】
鍔を展開した状態で鍔の先端を上向きに湾曲させると、鍔上の表示１４Ａ、１４Ｂ、１４Ｃの先端側（折り畳み状態の上側）の表示部分である「ＴＯＫＹＯ」、「ＧＩＡＮＴＳ］（登録商標）又は「ＹＯＭＩＵＲＩ」（登録商標）の英字が認識されるが（図２参照）、これは、必ずしも要求されるものではなく、鍔１４の展開状態の上側の無表示が表れようにしてもよい。
【００３１】
また、既に述べたように、展開状態の上側にのみ又は上下に団体などを表示する帽章を設けることができ、このようにすると、展開状態でもこの団体の帽章を認識することができるので好ましい。
【００３２】
帽子本体１２上の表示３０及び鍔１４上の表示４０は、上記の野球の試合に関連するもののみに限定されるものではなく、たとえば、オリンピックゲームに関連して帽子本体１２上の表示３０は、「金」、「銀」、「銅」のメタルとし、一方、鍔１４上の表示４０は、五輪マークや国旗とすることができる。
【００３３】
更に、他の表示例としては、帽子本体１２上の表示３０は、それぞれ「１つの大きなハートマーク」、「１つの中割れのハートマーク」、「多数の小さなハートマーク」とし、鍔１４上の表示４０は、表示３０のそれぞれの意味合い（観念）を表示する「恋愛中」、「失恋中」、「恋愛相手募集中」の文字とすることができる。
【００３４】
なお、上記の実施の形態では、いずれも感情などを表現する意思表示章を含んでいたが、鍔を広げることによって表れる表示３０は、意思表示とは関係のない態様の帽章であってもよく、またこの場合鍔１４側の表示４０を省略することもできる。また、帽章（表示章）は、図形、記号、文字、数字のいずれか又はその組み合わせとすることができる。
【００３５】
更に、上記実施の形態では、１つの鍔を広げるかすべての鍔を折り畳んだままとしたが、すべての鍔を広げた状態で使用することができることももちろんである。
【００３６】
【発明の効果】
本発明によれば、上記のように、帽子は、ドーム状の帽子本体と帽子本体の下周縁に沿って間隔をあけて設けられた折り畳み自在な複数の庇状の鍔とから成っており、これらの複数の鍔に対応して帽子本体及び鍔に鍔毎に異なる表示を有するので、使用者は、複数の鍔の１つが正面なるように帽子を被って正面の鍔を広げたり、すべての鍔を折り畳んだままとして１つの帽子で多様に使用したりすることができる実益がある。
【００３７】
また、異なる表示は、異なる感情などの意思表示とすると、帽子の使用者の感情や心境など相応した表示を有する帽子部分を正面にして帽子を被ってその正面位置の鍔を展開してその表示を認識することができるようにして自己の感情や心境などを自己の顔の表情と共に帽子を通して表現することができるので、帽子を多様な自己表現の道具として便宜に利用することができる。
【００３８】
また、異なる表示は、異なる観念の表示とすることができ、この場合、特定の観念を選択するように帽子本体の正面位置を変えると、１つの帽子で種々の観念を表示しつつ帽子を着用することができる。
【図面の簡単な説明】
【図１】本発明の１つの実施の形態に係る帽子の折り畳み状態の斜視図である。
【図２】本発明の１つの実施の形態に係る帽子の一つの使用例の斜視図である。
【図３】図１及び図２の帽子の帽子本体の分解状態の斜視図である。
【図４】図１及び図２の帽子の帽子本体の縫合部を示し、同図（Ａ）は、２つの布片の間の縫合部の断面図、同図（Ｂ）は、他の異なる２つの布片の間の縫合部の断面図である。
【図５】図１及び図２の帽子の帽子本体の横断面図である。
【図６】本発明の帽子の帽子本体に施される表示を示し、同図（Ａ）は笑う顔に相応する表示の正面図、同図（Ｂ）は泣き顔に相応する表示の正面図、同図（Ｃ）は怒り顔に相応する表示の正面図である。
【図７】本発明の帽子の鍔に施される表示を示し、同図（Ａ）は、図６（Ａ）に対応する表示の正面図、同図（Ｂ）は、図６（Ｂ）に対応する表示の正面図、同図（Ｃ）は、図６（Ｃ）に対応する表示の正面図である。
【符号の説明】
１０  帽子
１２  ドーム状の帽子本体
１４  複数の庇状の鍔
１４Ａ、１４Ｂ、１４Ｃ  鍔
１６  略三角形状の複数の布片
１６Ａ、１６Ａ’  隣り合う２つの布片
１６Ｂ、１６Ｂ’  隣り合う２つの布片
１６Ｃ、１６Ｃ’  隣り合う２つの布片
１８ａ  縫合部
２０  弾性伸縮部材
２２、２４  裏当て部材
３０  帽子本体１２上の表示
３０Ａ、３０Ｂ、３０Ｃ  感情などの意思表示
４０  鍔１４上の表示
４０Ａ、４０Ｂ、４０Ｃ  鍔１４Ａ、１４Ｂ、１４Ｃ上の表示
【図１】
0003586631.tif 000002
【図２】
0003586631.tif 000003
【図３】
0003586631.tif 000004
【図４】
0003586631.tif 000005
【図５】
0003586631.tif 000006
【図６】
0003586631.tif 000007
【図７】
0003586631.tif 000008